(57)【要約】      （修正有）【課題】防犯性能を高めたスーツケース及び袋物用ファスナーを提供する。【解決手段】袋物としてのスーツケースは、蓋体とケース本体とを接続するファスナー３０を備え、ファスナー３０は、一対のスライダー４０、５０を備え、一方のスライダー４０と他方のスライダー５０との間に、施錠機構６０を備えている。施錠機構６０は、他方のスライダー５０に一体的に備えた雌部材６１と、この雌部材６１に嵌合する雄部材６５とを主たる構成要素とする。この雄部材６５は一方のスライダー４０に一体的に備えられる。雄部材６５は、ばね鋼又は同等の金属の薄板を折り曲げて、途中に一対の解錠片６９、６９を一体的に設け、先端に一対の爪部７１、７１を一体形成してなる。雄部材６５は、鋏の一種である握り鋏と類似した形を呈しており、小さな力で解錠方向へ撓ませることができる。【選択図】図２
0003215133.tif 000002
【実用新案登録請求の範囲】
【請求項１】
ケース本体と、このケース本体にヒンジで繋がれ前記ケース本体の開口を塞ぐ蓋体と、この蓋体と前記ケース本体を開閉自在に繋ぐファスナーとを備えているスーツケースにおいて、
前記ファスナーは、一対の帯布と、一方の帯布の一辺に取り付けられた一方のファスナー歯列と、他方の帯布の一辺に取り付けられた他方のファスナー歯列と、前記帯布に沿って移動し前記一方のファスナー歯列に前記他方のファスナー歯列を噛み合わせる又は分離する一対のスライダーとからなり、
前記一対のスライダーは、一方のスライダーに他方のスライダーを接近させることで自動的に施錠される施錠機構を備えており、
前記施錠機構は、前記一方のスライダーに一体的に備えた雄部材と、前記他方のスライダーに一体的に備えた雌部材と、前記一方のスライダー又は前記他方のスライダーに備えた解錠片とを有し、
前記雌部材に前記雄部材が嵌合した状態で施錠され、前記解錠片により解錠されるようにしたことを特徴とするスーツケース。
【請求項２】
請求項１記載のスーツケースであって、
前記スライダーは、前記一対のファスナー歯列を分離する三角柱と、この三角柱の一端に固定され前記一対のファスナー歯列の底面に沿って移動する底板と、前記三角柱の他端に固定され前記一対のファスナー歯列の上面に沿って移動する上板と、引き手を止める引き手止め環と、この引き手止め環に止められた引き手とを有し、
前記雄部材は、前記一方のスライダーの前記上板と前記引き手止め環の少なくとも一方に付設され、
前記雌部材は、前記他方のスライダーの前記上板と前記引き手止め環の少なくとも一方に付設されていることを特徴とするスーツケース。
【請求項３】
物品を収納する袋物の開口に取り付けられる袋物用ファスナーであって、
一対の帯布と、一方の帯布の一辺に取り付けられた一方のファスナー歯列と、他方の帯布の一辺に取り付けられた他方のファスナー歯列と、前記帯布に沿って移動し前記一方のファスナー歯列に前記他方のファスナー歯列を噛み合わせる又は分離する一対のスライダーとからなり、
前記一対のスライダーは、一方のスライダーに他方のスライダーを接近させることで自動的に施錠される施錠機構を備えており、
前記施錠機構は、前記一方のスライダーに一体的に備えた雄部材と、前記他方のスライダーに一体的に備えた雌部材と、前記一方のスライダー又は前記他方のスライダーに備えた解錠片とを有し、
前記雌部材に前記雄部材が嵌合した状態で施錠され、前記解錠片により解錠されるようにしたことを特徴とする袋物用ファスナー。
【請求項４】
請求項３記載の袋物用ファスナーであって、
前記スライダーは、前記一対のファスナー歯列を分離する三角柱と、この三角柱の一端に固定され前記一対のファスナー歯列の底面に沿って移動する底板と、前記三角柱の他端に固定され前記一対のファスナー歯列の上面に沿って移動する上板と、引き手を止める引き手止め環と、この引き手止め環に止められた引き手とを有し、
前記雄部材は、前記一方のスライダーの前記上板と前記引き手止め環の少なくとも一方に付設され、
前記雌部材は、前記他方のスライダーの前記上板と前記引き手止め環の少なくとも一方に付設されていることを特徴とする袋物用ファスナー。
【考案の詳細な説明】
【技術分野】
【０００１】
本考案は、防犯性能を高めたスーツケース及び袋物用ファスナーに関する。
【背景技術】
【０００２】
旅行の多様化に伴って、治安がよくない地域にスーツケースや鞄を持ち込むことがある。この場合は、防犯性能を強化したスーツケースや鞄が好まれる。そこで、防犯性能を強化したスーツケースや鞄が各種提案されてきた（例えば、特許文献１（図３）参照）。
【０００３】
特許文献１の図３に示されるように、ファスナーの引き手が施錠可能とされる。
施錠されているため、ファスナーが勝手に引かれる心配はない。
【０００４】
ただし、錠前を開けるキーの保管が煩わしい。キーを紛失すると解錠ができない。錠前がダイヤル錠である場合は、キーは不要であるが、番号を忘れると解錠できない。
加えて、綺麗な鞄に錠前がぶら下がっており、見栄えの点で難がある。
キーや番号を用いない防犯構造も各種提案されている（例えば、特許文献２（図１、図２）参照）。
【０００５】
特許文献２の図１に示されるように、一方の引き手（２１２）（括弧付き数字は特許文献２に記載された符号を示す。以下同じ）に紐体（１１）を結ぶ。この紐体（１１）には四つ葉状の係合部材（１３）が取り付けられている。この係合部材（１３）には、特許文献２の図２に示されるように、磁石（１３２）が付設されている。
また、他方の引き手（２２２）に別の紐体（１２）が結ばれ、この紐体（１２）には五つ葉状の係合部材（１４）が取り付けられている。この係合部材（１４）には、特許文献２の図２に示されるように、磁石（１４２）が付設されている。
【０００６】
磁石（１３２）が磁石（１４２）に吸着しているため、一方の引き手（２１２）に対して他方の引き手（２２１）が開き方向へ簡単に引かれる心配はない。
ただし、紐体（１１）、（１２）を引き手（２１２）、（２２２）に結ぶ作業が面倒である。紐体（１１）、（１２）は細いため使用中に切れる心配がある。紐体（１１）、（１２）及び係合部材（１３）、（１４）が目立つため、見栄えの点で難がある。
【０００７】
すなわち、特許文献１に示される施錠構造では、施錠操作及び解錠操作が煩わしく、キーの保管が大変であり、見栄えの点で難がある。
また、特許文献２に示される防犯構造では、２個の磁石を吸着される及び分離する操作が煩わしく、加えて紐体が切れる心配があり、見栄えの点で難がある。
【０００８】
旅行等が盛んになる中、施錠・解錠操作が容易で、見栄えのよいファスナー構造が求められる。
【先行技術文献】
【特許文献】
【０００９】
【特許文献１】特開２００３−８８４１６号公報
【特許文献２】特開２０１７−１９２６２０号公報
【考案の概要】
【考案が解決しようとする課題】
【００１０】
本考案は、施錠・解錠操作が容易で、見栄えのよい袋物用ファスナー及び見栄えのよいファスナーを備えたスーツケースを提供することを課題とする。
【課題を解決するための手段】
【００１１】
請求項１に係る考案は、ケース本体と、このケース本体にヒンジで繋がれ前記ケース本体の開口を塞ぐ蓋体と、この蓋体と前記ケース本体を開閉自在に繋ぐファスナーとを備えているスーツケースにおいて、
前記ファスナーは、一対の帯布と、一方の帯布の一辺に取り付けられた一方のファスナー歯列と、他方の帯布の一辺に取り付けられた他方のファスナー歯列と、前記帯布に沿って移動し前記一方のファスナー歯列に前記他方のファスナー歯列を噛み合わせる又は分離する一対のスライダーとからなり、
前記一対のスライダーは、一方のスライダーに他方のスライダーを接近させることで自動的に施錠される施錠機構を備えており、
前記施錠機構は、前記一方のスライダーに一体的に備えた雄部材と、前記他方のスライダーに一体的に備えた雌部材と、前記一方のスライダー又は前記他方のスライダーに備えた解錠片とを有し、
前記雌部材に前記雄部材が嵌合した状態で施錠され、前記解錠片により解錠されるようにしたことを特徴とする。
【００１２】
請求項２に係る考案は、請求項１記載のスーツケースであって、
前記スライダーは、前記一対のファスナー歯列を分離する三角柱と、この三角柱の一端に固定され前記一対のファスナー歯列の底面に沿って移動する底板と、前記三角柱の他端に固定され前記一対のファスナー歯列の上面に沿って移動する上板と、引き手を止める引き手止め環と、この引き手止め環に止められた引き手とを有し、
前記雄部材は、前記一方のスライダーの前記上板と前記引き手止め環の少なくとも一方に付設され、
前記雌部材は、前記他方のスライダーの前記上板と前記引き手止め環の少なくとも一方に付設されていることを特徴とする。
【００１３】
請求項３に係る考案は、物品を収納する袋物の開口に取り付けられる袋物用ファスナーであって、
一対の帯布と、一方の帯布の一辺に取り付けられた一方のファスナー歯列と、他方の帯布の一辺に取り付けられた他方のファスナー歯列と、前記帯布に沿って移動し前記一方のファスナー歯列に前記他方のファスナー歯列を噛み合わせる又は分離する一対のスライダーとからなり、
前記一対のスライダーは、一方のスライダーに他方のスライダーを接近させることで自動的に施錠される施錠機構を備えており、
前記施錠機構は、前記一方のスライダーに一体的に備えた雄部材と、前記他方のスライダーに一体的に備えた雌部材と、前記一方のスライダー又は前記他方のスライダーに備えた解錠片とを有し、
前記雌部材に前記雄部材が嵌合した状態で施錠され、前記解錠片により解錠されるようにしたことを特徴とする。
【００１４】
請求項４に係る考案は、請求項３記載の袋物用ファスナーであって、
前記スライダーは、前記一対のファスナー歯列を分離する三角柱と、この三角柱の一端に固定され前記一対のファスナー歯列の底面に沿って移動する底板と、前記三角柱の他端に固定され前記一対のファスナー歯列の上面に沿って移動する上板と、引き手を止める引き手止め環と、この引き手止め環に止められた引き手とを有し、
前記雄部材は、前記一方のスライダーの前記上板と前記引き手止め環の少なくとも一方に付設され、
前記雌部材は、前記他方のスライダーの前記上板と前記引き手止め環の少なくとも一方に付設されていることを特徴とする。
【考案の効果】
【００１５】
請求項１に係る考案では、一対のスライダーは施錠機構を備え、この施錠機構は一方のスライダーに他方のスライダーを接近させると自動的に施錠状態となる。
従来の技術では、磁石同士を吸着させるような施錠操作が必要であったが、本考案によれば、そのような格別の施錠操作は不要であって、単に一方のスライダーに他方のスライダーを接近させるだけで施錠される。
【００１６】
また、本考案の施錠機構は一対のスライダーに一体的に備えられていて目立たない。
さらには、一体的に備えられているため、従来のように紐体が切れることを心配する必要もない。
よって、請求項１によれば、施錠・解錠操作が容易で、見栄えのよいファスナーを備えたスーツケースが提供される。
【００１７】
加えて、請求項１では、施錠機構を備えているので、片手ではファスナーを開くことができない。他人が両手を使ってファスナーを開こうとすると、動作が大げさになる。結果、窃盗等を防止することができる。
【００１８】
請求項２に係る考案では、施錠機構の構成要素である雄部材は、一方のスライダーを構成する上板と引き手止め環の少なくとも一方に付設され、施錠機構の構成要素である雌部材は、他方のスライダーを構成する上板と引き手止め環の少なくとも一方に付設されている。スライダーの上板及び引き手止め環は、ファスナー歯列の上方に配置される。このような上板や引き手止め環に施錠機構を設けたので、施錠機構がファスナー歯列に干渉する心配がない。
【００１９】
請求項３に係る考案では、請求項１と同様に、一対のスライダーは施錠機構を備え、この施錠機構は一方のスライダーに他方のスライダーを接近させると自動的に施錠状態となる。
また、本考案の施錠機構は一対のスライダーに一体的に備えられていて目立たない。
さらには、一体的に備えられているため、従来のように紐体が切れることを心配する必要もない。
よって、請求項３によれば、施錠・解錠操作が容易で、見栄えのよい袋物用ファスナーが提供される。
【００２０】
請求項４に係る考案では、請求項２と同様に、施錠機構の構成要素である雄部材は、一方のスライダーを構成する上板と引き手止め環の少なくとも一方に付設され、施錠機構の構成要素である雌部材は、他方のスライダーを構成する上板と引き手止め環に付設されている。スライダーの上板及び引き手止め環は、ファスナー歯列の上方に配置される。このような上板や引き手止め環に施錠機構を設けたので、施錠機構がファスナー歯列に干渉する心配がない。
【図面の簡単な説明】
【００２１】
【図１】本考案に係るスーツケースの斜視図である。
【図２】施錠中の一対のファスナーの平面図及び要部断面図である。
【図３】解錠中の一対のファスナーの平面図及び側面図である。
【図４】図３の４−４線断面図である。
【図５】一対のファスナーの作用図である。
【図６】変更例に係る一対のファスナーの平面図及び側面図である。
【考案を実施するための形態】
【００２２】
本考案の実施の形態を添付図に基づいて以下に説明する。なお、図面は符号の向きに見るものとする。
＜実施例＞
【００２３】
本考案において、袋物とは、鞄、スーツケース、ザック（バックパック、リュックサックを含む。）、手提げ袋などの総称であり、物品を収納する袋状のものであれば、種類、形状、硬軟を問わない。
本実施例では、袋物の具体例を、スーツケースとして、以下に説明する。
【００２４】
図１に示すように、袋物としてのスーツケース１０は、伸縮ハンドル１１を有するケース本体１２と、このケース本体１２の開口を閉じる蓋体１３と、この蓋体１３をケース本体１２に開閉可能に連結する第１布ヒンジ１４と、蓋体１３とケース本体１２を接続する袋物用ファスナーとしてのファスナー３０と、蓋体１３の前面に設けられ蓋体１３より一回り小さな前ポケット１６と、この前ポケット１６の下辺を蓋体１３に連結する第２布ヒンジ１７と、前ポケット１６を蓋体１３に接続する第２ファスナー１８とを備えている。
【００２５】
第１・第２布ヒンジ１４、１７を、金属製の蝶番に変更し、第１・第２ファスナー１５、１８を枠状フレーム及びロック装置に変更することは差し支えない。
【００２６】
ケース本体１２の下面のコーナーにキャスター２１を備え、蓋体１３の下面のコーナーにキャスター２１を備える。キャスター２１は、コーナーカップ２２と、このコーナーカップ２２から下へ延びているコラム部２３と、このコラム部２３に回転自在に取付けた車輪２４とからなる。
【００２７】
ファスナー３０は、一対のスライダー４０、５０を備えている。一方のスライダー４０は引き手４５を有し、他方のスライダー５０は引き手５５を有する。
一対のスライダー４０、５０の構造を、図２〜図４に基づいて説明する。
【００２８】
図２（ａ）は一対のスライダー４０、５０の平面図であり、一方のスライダー４０と他方のスライダー５０との間に、施錠機構６０を備えていることを構造的な特長とする。
図２（ｂ）は図２（ａ）の要部断面図であり、施錠機構６０は、他方のスライダー５０に一体的に備えた雌部材６１と、この雌部材６１に嵌合する雄部材６５とを主たる構成要素とする。この雄部材６５は一方のスライダ４０ーに一体的に備えられる。
【００２９】
図２（ｃ）は互いに分離した雄部材６５と雌部材６１とを示す図であり、雄部材６５は、ばね鋼又は同等の金属の薄板を折り曲げて、途中に一対の解錠片６９、６９を一体的に設け、先端に一対の爪部７１、７１を一体形成してなる。雄部材６５は、鋏の一種である握り鋏と類似した形を呈しており、小さな力で解錠方向へ撓ませることができる。また、薄板は針金であってもよい。
【００３０】
また、雌部材６１は、平らな筒部材であって、爪部７１、７１を収納し且つ掛けることができる爪掛け凹部６２、６２と、解錠片６９、６９を出し入れ可能に収納するスリット部６３、６３とを有している。スリット部６３の形態は、図３（ｂ）でも示されている。
【００３１】
雌部材６１に雄部材６５を嵌めることで、図２（ｂ）に示すように、雌部材６１と雄部材６５とを施錠状態にすることができ、図２（ａ）に示すように、一対のスライダー４０、５０を施錠することができる。
図２（ａ）で、解錠片６９、６９を互いに接近する方向へ押すと、図２（ｂ）で、爪掛け凹部６２、６２から爪部７１、７１が外れる。すなわち、解錠され、図２（ｃ）のように、雌部材６１と雄部材６５とを互いに分離することができる。
【００３２】
スライダー４０、５０の構造を、図３に基づいて詳しく説明する。説明の都合で、図３（ｂ）を先に説明する。
図３（ｂ）に示すように、一方のスライダー４０は、三角柱４１と、この三角柱４１の一端（図では下端）に固定された底板４２と、三角柱４１の他端（図では上端）に固定された上板４３と、この上板４３に固定された引き手止め環４４と、この引き手止め環４４に止められた引き手４５とを有する。
加えて、本例では、雄部材６５は引き手止め環４４にろう材４７で接合する。ろう材４７はビスに代えてもよい。
【００３３】
同様に、他方のスライダー５０は、三角柱５１と、この三角柱５１の一端に固定された底板５２と、三角柱５１の他端に固定された上板５３と、この上板５３に固定された引き手止め環５４と、この引き手止め環５４に止められた引き手５５とを有する。
加えて、本例では、雌部材６１は引き手止め環５４にろう材４７で接合する。雌部材６１は、雄部材６５と形状が異なるため、ろう材４６で上面５３に接合することもできる。
【００３４】
図３（ａ）に示すように、雄部材６５及び雌部材６１は、引き手止め環４４、４４に固定されている。
【００３５】
図３（ｂ）の４−４線断面図である図４に基づいて、ファスナー３０の全体的な構成を説明する。
図４に示すように、ファスナー３０は、一対の帯布３１、３２と、一方の帯布３１の一辺に取り付けられた一方のファスナー歯列３３と、他方の帯布３２の一辺に取り付けられた他方のファスナー歯列３４と、帯布３１、３２に沿って移動し一方のファスナー歯列３３に他方のファスナー歯列３４を噛み合わせる又は分離する三角柱４１、５１を備えるスライダー４０、５０とからなる。
【００３６】
三角柱４１、５１に固定されている底板４２、５２の縁は折り曲げられて側壁部４８、５８となっている。これらの側壁部４８、５８により、ファスナー歯列３３、３４が案内される。図３（ｂ）に示すように、上板４３、５３も側壁部４８、５８を有する。
【００３７】
次に、本考案に係るファスナー３０の作用を、図５に基づいて説明する。
図５（ａ）に示すように、ファスナー３０は開いており、引き手４５と引き手５５の両方又は片方を矢印（→、←）のように引くことにより、一方のファスナー歯列３３に他方のファスナー歯列３４を噛み合わせることができる。その終期において、図３（ａ）に示す雄部材６５が雌部材６１に嵌まる。
【００３８】
結果、図５（ｂ）に示すように、施錠機構６０は施錠状態となる。施錠状態では、一方の引き手４５と他方の引き手５５の両方又は片方を引いても一方のスライダー４０から他方のスライダー５０が離れることはない。
【００３９】
解錠する場合は、図５（ｃ）に示すように、右手の親指７２と人差し指７３とで解錠片６９、６９を解錠方向へ押す。押したままで、左手の親指７４と人差し指７５で引き手５５を摘み、開方向へ引っ張る。結果、他方のスライダー５０が一方のスライダー４０から離れるように移動する。これにより、ファスナー３０を開くことができる。
【００４０】
図１において、施錠していなければ、例えば他人が後ろ手で且つ片手で、一方のスライダー４０又は他方のスライダー５０を引き、ファスナー３０を開き、窃盗などに及ぶことが懸念される。
この点、図５（ｃ）であれば、右手と左手の両方が必要であり、秘密裏に他人がファスナー３０を開くことはできない。正当な持ち主が脇見をしていたとしても、他人の動作が大げさであるため、その兆候を容易に察知し得る。
【００４１】
袋物が、背負ったザックである場合も同様である。すなわち、他人の動作が大げさであるため、その兆候を容易に察知し得る。加えて、周囲の人が不自然さに気が付くことが期待でき、窃盗などを未然に防ぐことができる。
【００４２】
また、図５で説明したように、本考案によるファスナー３０の施錠・解錠操作は、容易である。その上、図５（ｂ）に示すように、施錠機構６０が一対のスライダー４０、５０に一体的に設けられているため外観性は良好である。
したがって、本考案により、施錠・解錠操作が容易で、見栄えのよい袋物用ファスナー３０及び見栄えのよいファスナー３０を備えたスーツケース１０が提供される。
【００４３】
次に、図６に基づいて変更例を説明する。なお、図３と同一の構成要素には図３の符号を流用して、詳細な説明は省略する。
図６（ａ）に示すように、雄部材６５は、平板部６６と、この平板部６６の長手中心に沿って延びる溝部６７と、この溝部６７で区分される一対の細帯部６８、６８の外縁に外方へ張り出すように設けられる解錠片６９、６９と、一対の細帯部６８、６８の先端に設けられる爪部７１、７１とからなる。
【００４４】
図６（ｂ）に示すように、雄部材６５を一方のスライダー４０の上板４３に載せ、ビスＢで固定する。雌部材６１を他方のスライダー５０の上板５３に載せ、ビスＢで固定する。上板４３に接着剤を塗布し、この接着剤で雄部材６５を接合し、その上でビスＢで固定するとなおよい。雌部材６１も同様である。
【００４５】
ビスＢや接着剤で固定することにより、スライダー４０、５０を金属製とし、雄部材６５を弾性変形容易な樹脂とすることができる。雌部材６１は弾性が要求されないので、樹脂、金属の何れでもよい。
【００４６】
また、請求項１での施錠機構６０は、図２及び図３で説明した実施例が推奨されるが、この実施例を適宜変更することは差し支えない。すなわち、雄部材６５と雌部材６１と解錠片６９とが必須であって、これらを具備していれば、その他の構造や形態は実施例に限定されない。
【００４７】
また、図１で説明した第２ファスナー１８にも、本考案の施錠機構６０を適用することは差し支えない。
また、実施例では、雄部材６５と雌部材６９を、上板４３又は引き手止め環４４に固定したが、上板４３と引き手止め環４４の両方に接合（接続）して固定することは差し支えない。
【００４８】
また、解錠片６９は、実施例では、雄部材６５に一体形成したが、雄部材６５とは別に設けてもよい。ただし、解錠片６９を雄部材６５に一体形成することにより、部品数の低減を図ることができる。
【産業上の利用可能性】
【００４９】
本考案は、治安の問題が想定される地域に用いるスーツケースに好適である。
【符号の説明】
【００５０】
１０…スーツケース（袋物）、１２…ケース本体、１３…蓋体、１４…ヒンジ、３１、３２…帯布、３３、３４…ファスナー歯列、４０…一方のスライダー、５０…他方のスライダー、４１、５１…三角柱、４２、５２…底板、４３、５３…上板、４４、５４…引き手止め環、４５、５５…引き手、６０…施錠機構、６１…雌部材、６５…雄部材、６９…解錠片。
【図１】
0003215133.tif 000003
【図２】
0003215133.tif 000004
【図３】
0003215133.tif 000005
【図４】
0003215133.tif 000006
【図５】
0003215133.tif 000007
【図６】
0003215133.tif 000008